(57)【要約】【課題】熱源ユニット（10）の切換機構で利用ユニット（7）の運転状態を切り換える冷凍装置（5）と、利用ユニット（7）毎に設けられたユニットの切換機構で利用ユニット（7）の運転状態を切り換える冷凍装置（5）との両方に適用可能な熱源ユニット（10）を、補助ユニット（50）を冷却運転と加熱運転の両方に対応させて接続可能に構成する。【解決手段】熱源側回路（12）に、圧縮機（14）の吐出側と常に連通する第１ガス側ポート（31）と、圧縮機（14）の吸入側と常に連通する第２ガス側ポート（32）と、第１ガスライン（25）と第２ガスライン（26）との何れか一方と選択的に連通する第３ガス側ポート（33）と、熱源側熱交換器（15）の液側端と常に連通する液側ポート（34）と、熱源側熱交換器（15）のガス側端の連通状態を切り換える第１切換機構（17）と、第３ガスライン（27）の連通状態を切り換える第２切換機構（18）とを設ける。【選択図】図１
2008111589.tif 000002
【特許請求の範囲】
【請求項１】
圧縮機（14）と熱源側熱交換器（15）とが接続された熱源側回路（12）を備える冷凍装置の熱源ユニットであって、
上記熱源側回路（12）には、
上記圧縮機（14）の吐出側と常に連通する第１ガスライン（25）の端部となる第１ガス側ポート（31）と、
上記圧縮機（14）の吸入側と常に連通する第２ガスライン（26）の端部となる第２ガス側ポート（32）と、
上記第１ガスライン（25）と第２ガスライン（26）との何れか一方と選択的に連通する第３ガスライン（27）の端部となる第３ガス側ポート（33）と、
上記熱源側熱交換器（15）の液側端と常に連通する液ライン（28）の端部となる液側ポート（34）と、
上記熱源側熱交換器（15）のガス側端を上記圧縮機（14）の吐出側と連通する状態と該圧縮機（14）の吸入側と連通する状態とに切り換えるための第１切換機構（17）と、
上記第３ガスライン（27）を上記第１ガスライン（25）と連通する状態と上記第２ガスライン（26）と連通する状態とに切り換えるための第２切換機構（18）とが設けられていることを特徴とする冷凍装置の熱源ユニット。
【請求項２】
請求項１に記載の冷凍装置（5）の熱源ユニット（10）と、
液側端から順に減圧機構（41）と利用側熱交換器（40）とが接続された利用側回路（8）を有する利用ユニット（7）とを備え、
上記熱源ユニット（10）の熱源側回路（12）の第３ガス側ポート（33）と上記利用側回路（8）のガス側端とが接続されて、該熱源側回路（12）の液側ポート（34）と該利用側回路（8）の液側端とが接続されて構成された冷媒回路（9）において蒸気圧縮冷凍サイクルを行うことを特徴とする冷凍装置。
【請求項３】
請求項２において、
補助熱交換器（52）と、上記補助熱交換器（52）の液側端と常に連通する第１接続ポート（56）と、上記補助熱交換器（52）のガス側端が選択的に連通する第２接続ポート（57）及び第３接続ポート（58）と、上記補助熱交換器（52）のガス側端を上記第２接続ポート（57）と連通する状態と上記第３接続ポート（58）と連通する状態とに切り換えるための補助切換機構（54）とを有する補助ユニット（50）を備え、
上記冷媒回路（9）では、上記第１接続ポート（56）が上記熱源側回路（12）の液側ポートに接続され、上記第２接続ポート（57）が上記熱源側回路（12）の第１ガス側ポート（31）に接続され、上記第３接続ポート（58）が上記熱源側回路（12）の第２ガス側ポート（32）に接続されていることを特徴とする冷凍装置。
【請求項４】
請求項２又は３において、
上記利用ユニット（7）を複数備え、
上記冷媒回路（9）では、複数の利用側回路（8）が熱源側回路（12）に対して並列に接続されていることを特徴とする冷凍装置。
【請求項５】
請求項４において、
上記複数の利用ユニット（7）に対してそれぞれ設けられて、各利用ユニット（7）の利用側回路（8）のガス側端を上記第２ガス側ポート（32）と連通する状態と上記第３ガス側ポート（33）と連通する状態とに切り換えるための運転状態切換機構（63,64）を有する切換ユニット（60）を備えていることを特徴とする冷凍装置。
【発明の詳細な説明】
【技術分野】
【０００１】
本発明は、利用ユニットに連絡配管を介して接続される冷凍装置の熱源ユニット、及びその熱源ユニットを備える冷凍装置に関するものである。
【背景技術】
【０００２】
従来より、圧縮機や熱源側熱交換器を備える冷凍装置の熱源ユニットが知られている。熱源ユニットは、連絡配管を介して接続される利用ユニットと共に冷凍装置を構成する。この種の熱源ユニットが特許文献１及び特許文献２に記載されている。
【０００３】
具体的に、特許文献１には、この種の熱源ユニットとして空調機の室外ユニットが開示されている。この室外ユニットには、ガス側ポートと液側ポートとが１つずつ設けられている。ガス側ポートは、圧縮機の吐出側と吸入側とにそれぞれ接続された四路切換弁に接続されている。液側ポートは室外熱交換器の液側端に接続されている。この空調機は、四路切換弁を切り換えることによって運転状態として冷房運転と暖房運転とを切り換えることができる。
【０００４】
また、特許文献２の図３には、２つのガス側ポートと、１つの液側ポートとが設けられた室外ユニットが記載されている。この室外ユニットでは、片方のガス側ポートが吐出ラインを介して常に圧縮機の吐出側に接続され、もう片方のガス側ポートが吸入ラインを介して常に圧縮機の吸入側に接続されている。また、液側ポートは常に室外熱交換器の液側に接続されている。室外熱交換器のガス側端は、圧縮機の吐出側と吸入側とにそれぞれ接続された四路切換弁に接続されている。
【０００５】
そして、特許文献２には、この室外ユニットが適用された空気調和装置が記載されている。この空気調和装置は、複数の室内ユニットを備え、それぞれに室内ユニットの運転状態を切り換えるためのＢＳユニットが設けられている。ＢＳユニットは、室内ユニットのガス管を吐出ラインと連通する状態と吸入ラインと連通する状態とに切り換える。この空気調和装置では、ＢＳユニットが室内ユニットのガス管を室外ユニットの吐出ラインと連通させると、室内ユニットの利用側熱交換器が凝縮器になる暖房運転が行われる。ＢＳユニットが室内ユニットのガス管を室外ユニットの吸入ラインと連通させると、室内ユニットの利用側熱交換器が蒸発器になる冷房運転が行われる。この空気調和装置は、室内ユニット毎に運転状態として冷房運転を行うか暖房運転を行うかを選択できる、いわゆる冷暖フリーの空気調和装置である。
【０００６】
ところで、冷凍装置には、熱源ユニットに設けられた切換機構（例えば四路切換弁）によって利用ユニットの運転状態の切り換える特許文献１のようなものや、利用ユニット毎に設けられたユニットに収容された切換機構によって利用ユニットの運転状態の切り換える特許文献２のようなものがある。特許文献１の熱源ユニットは、ガス側ポートが１つしかないので、後者の冷凍装置には適用できない。また、特許文献２の熱源ユニットは、熱源側回路に利用ユニットの運転状態を切り換えるための切換機構が設けられていないので、前者の冷凍装置には適用できない。
【０００７】
そして、前者の冷凍装置と後者の冷凍装置との何れにも適用することができるように熱源ユニットを構成すると、例えば図１３のような構成になる。この図１３の熱源ユニット（10）の熱源側回路（12）には、２つのガス側ポート（32,33）と、１つの液側ポート（34）とが設けられている。片方のガス側ポート（32）は常に圧縮機（14）の吸入側と連通し、もう片方のガス側ポート（33）は圧縮機（14）の吐出側と吸入側との何れか一方と選択的に連通している。また、液側ポート（34）は常に室外熱交換器（15）の液側に連通している。室外熱交換器（15）のガス側は、圧縮機（14）の吐出側と吸入側との何れか一方と選択的に連通している。この熱源ユニット（10）に対して利用ユニット（7）を図１３（Ａ）のように接続すると、前者の冷凍装置（5）が構成される。また、この熱源ユニット（10）に対して利用ユニット（7）を図１３（Ｂ）のように接続すると、後者の冷凍装置（5）が構成される。
【０００８】
ここで、この熱源ユニットを適用した冷凍装置では、例えば利用ユニットの台数が多い場合など利用ユニット側で比較的大きな冷却能力又は加熱能力が必要になる場合に、利用ユニットの利用側熱交換器における熱交換量に対して熱源ユニットの熱源側熱交換器だけでは十分な熱交換量を確保することができない場合がある。このような場合は、適切な冷凍サイクルを行うことができずに成績係数（ＣＯＰ）が比較的小さくなってしまう。そこで、補助熱交換器を収容する補助ユニットを冷媒回路に接続することで、このような問題を解消することができる。補助ユニット（50）は、利用ユニット（7,7,…）側における必要加熱能力が大きい場合には、図１４に示すように、加熱運転中に補助熱交換器（52）が熱源側熱交換器（15）と共に蒸発器となるように接続される。また、補助ユニット（50）は、利用ユニット（7,7,…）側における必要冷却能力が大きい場合には、図１５に示すように、冷却運転中に補助熱交換器（52）が熱源側熱交換器（15）と共に凝縮器となるように接続される。
【特許文献１】特開２００６−０７８０８７号公報
【特許文献２】特開平１１−２４１８４４号公報
【発明の開示】
【発明が解決しようとする課題】
【０００９】
しかし、従来の熱源ユニットでは、該熱源ユニットが適用された冷凍装置において補助ユニットを加熱運転と冷却運転との両方に使用することができるように、補助ユニットを接続することができなかった。具体的に、加熱運転に対応させて補助ユニットを設けると、冷却運転時に圧縮機から吐出された冷媒を補助ユニットの補助熱交換器に供給することができないので、補助熱交換器が凝縮器にはならなかった。また、冷却運転に対応させて補助ユニットを設けると、加熱運転時に補助ユニットの補助熱交換器で蒸発した冷媒を圧縮機の吸入側へ導くことができないので、補助熱交換器が蒸発器にはならなかった。
【００１０】
本発明は、かかる点に鑑みてなされたものであり、その目的とするところは、熱源ユニットに設けられた切換機構によって利用ユニットの運転状態を切り換える冷凍装置と、利用ユニット毎に設けられたユニットに収容された切換機構によって利用ユニットの運転状態を切り換える冷凍装置との何れにも適用することができる熱源ユニットを、補助熱交換器を収容する補助ユニットを冷却運転と加熱運転との両方に対応させて接続することができるように構成することにある。
【課題を解決するための手段】
【００１１】
第１の発明は、圧縮機（14）と熱源側熱交換器（15）とが接続された熱源側回路（12）を備える冷凍装置の熱源ユニット（10）を対象とする。そして、この熱源ユニット（10）の熱源側回路（12）には、上記圧縮機（14）の吐出側と常に連通する第１ガスライン（25）の端部となる第１ガス側ポート（31）と、上記圧縮機（14）の吸入側と常に連通する第２ガスライン（26）の端部となる第２ガス側ポート（32）と、上記第１ガスライン（25）と第２ガスライン（26）との何れか一方と選択的に連通する第３ガスライン（27）の端部となる第３ガス側ポート（33）と、上記熱源側熱交換器（15）の液側端と常に連通する液ライン（28）の端部となる液側ポート（34）と、上記熱源側熱交換器（15）のガス側端を上記圧縮機（14）の吐出側と連通する状態と該圧縮機（14）の吸入側と連通する状態とに切り換えるための第１切換機構（17）と、上記第３ガスライン（27）を上記第１ガスライン（25）と連通する状態と上記第２ガスライン（26）と連通する状態とに切り換えるための第２切換機構（18）とが設けられている。
【００１２】
第１の発明では、熱源ユニット（10）の熱源側回路（12）が、３つのガス側ポート（31,32,33）と１つの液側ポート（34）とを備えている。第１ガス側ポート（31）は、常に圧縮機（14）の吐出側に連通している。第２ガス側ポート（32）は、常に圧縮機（14）の吸入側に連通している。第３ガス側ポート（33）は、第２切換機構（18）の切り換えによって第１ガスライン（25）と連通する状態と第２ガスラインと連通する状態とが切り換えられる。液側ポート（34）は、常に熱源側熱交換器（15）の液側端に連通している。熱源側熱交換器（15）のガス側端は、第１切換機構（17）の切り換えによって圧縮機（14）の吐出側と連通する状態と圧縮機（14）の吸入側と連通する状態とが切り換えられる。つまり、この熱源ユニット（10）は、熱源ユニット（10）に設けられた切換機構（17）によって利用ユニット（7）の運転状態を切り換える冷凍装置（5）と、利用ユニット（7）毎に設けられたユニット（60）に収容された切換機構（63,64）によって利用ユニット（7）の運転状態を切り換える冷凍装置（5）との何れにも適用することができる例えば図１３の熱源ユニット（10）の構成に加えて、常に圧縮機（14）の吐出側と連通する第１ガス側ポート（31）を備えている。
【００１３】
第２の発明は、請求項１に記載の冷凍装置（5）の熱源ユニット（10）と、液側端から順に減圧機構（41）と利用側熱交換器（40）とが接続された利用側回路（8）を有する利用ユニット（7）とを備え、上記熱源ユニット（10）の熱源側回路（12）の第３ガス側ポート（33）と上記利用側回路（8）のガス側端とが接続されて、該熱源側回路（12）の液側ポート（34）と該利用側回路（8）の液側端とが接続されて構成された冷媒回路（9）において蒸気圧縮冷凍サイクルを行う冷凍装置（5）である。
【００１４】
第２の発明では、冷凍装置（5）の冷媒回路（9）において、熱源ユニット（10）の熱源側回路（12）の第３ガス側ポート（33）と利用側回路（8）のガス側端とが接続され、熱源側回路（12）の液側ポート（34）と利用側回路（8）の液側端とが接続されている。この冷凍装置（5）では、後述する切換ユニット（60）を設けない場合は、第１切換機構（17）及び第２切換機構（18）が利用ユニット（7）の運転状態を切り換える。具体的に、第１切換機構（17）が熱源側熱交換器（15）のガス側端を圧縮機（14）の吐出側と連通させ、第２切換機構（18）が第３ガスライン（27）を第２ガスライン（26）と連通させると、熱源側熱交換器（15）が凝縮器となって利用側熱交換器（40）が蒸発器となる冷却運転が行われる。また、第１切換機構（17）が熱源側熱交換器（15）のガス側端を圧縮機（14）の吸入側と連通させ、第２切換機構（18）が第３ガスライン（27）を第１ガスライン（25）と連通させると、利用側熱交換器（40）が凝縮器となって熱源側熱交換器（15）が蒸発器となる加熱運転が行われる。
【００１５】
第３の発明は、上記２の発明において、補助熱交換器（52）と、上記補助熱交換器（52）の液側端と常に連通する第１接続ポート（56）と、上記補助熱交換器（52）のガス側端が選択的に連通する第２接続ポート（57）及び第３接続ポート（58）と、上記補助熱交換器（52）のガス側端を上記第２接続ポート（57）と連通する状態と上記第３接続ポート（58）と連通する状態とに切り換えるための補助切換機構（54）とを有する補助ユニット（50）を備え、上記冷媒回路（9）では、上記第１接続ポート（56）が上記熱源側回路（12）の液側ポートに接続され、上記第２接続ポート（57）が上記熱源側回路（12）の第１ガス側ポート（31）に接続され、上記第３接続ポート（58）が上記熱源側回路（12）の第２ガス側ポート（32）に接続されている。
【００１６】
第３の発明では、冷凍装置（5）が補助ユニット（50）を備えている。補助ユニット（50）では、補助切換機構（54）の切り換えによって補助熱交換器（52）のガス側端が第２接続ポート（57）と連通する状態と第３接続ポート（58）と連通する状態とに切り換えられる。従って、この第３の発明の冷凍装置（5）では、補助切換機構（54）の切り換えによって補助熱交換器（52）のガス側端が、第２接続ポート（57）が接続される第１ガス側ポート（31）と連通する状態と、第３接続ポート（58）が接続される第２ガス側ポート（32）と連通する状態とが切り換えられる。
【００１７】
第４の発明は、上記第２又は第３の発明において、上記利用ユニット（7）を複数備え、上記冷媒回路（9）では、複数の利用側回路（8）が熱源側回路（12）に対して並列に接続されている。
【００１８】
第４の発明では、冷凍装置（5）が複数の利用ユニット（7）を備えている。利用ユニット（7）の利用側回路（8）は、熱源側回路（12）に対して並列に接続されている。各利用ユニット（7）のガス側端は第３ガス側ポート（33）に接続され、各利用ユニット（7）の液側端は液側ポート（34）に接続されている。
【００１９】
第５の発明は、上記第４の発明において、上記複数の利用ユニット（7）に対してそれぞれ設けられて、各利用ユニット（7）の利用側回路（8）のガス側端を上記第２ガス側ポート（32）と連通する状態と上記第３ガス側ポート（33）と連通する状態とに切り換えるための運転状態切換機構（63,64）を有する切換ユニット（60）を備えている。
【００２０】
第５の発明では、各利用ユニット（7）に設けられた切換ユニット（60）の運転状態切換機構（63,64）が、該利用ユニット（7）の利用側回路（8）のガス側端を第２ガス側ポート（32）と連通する状態と第３ガス側ポート（33）と連通する状態とに切り換える。運転状態切換機構（63,64）が利用側回路（8）のガス側端を第２ガス側ポート（32）と連通させると、該利用側回路（8）が蒸発器となる冷却運転が行われる。具体的に、利用側回路（8）には熱源側熱交換器（15）で凝縮した冷媒が液側ポート（34）を通じて導入される。利用側回路（8）に導入された冷媒は、利用側熱交換器（40）で蒸発した後に第２ガス側ポート（32）を通じて圧縮機（14）の吸入側へ戻される。運転状態切換機構（63,64）が利用側回路（8）のガス側端を第３ガス側ポート（33）と連通させると、該利用側回路（8）が凝縮器となる加熱運転が行われる。具体的に、利用側回路（8）には圧縮機（14）から吐出された冷媒が第３ガス側ポート（33）を通じて導入される。利用側回路（8）に導入された冷媒は、利用側熱交換器（40）で凝縮した後に液側ポート（34）を通じて熱源側熱交換器（15）に導入され、そこで蒸発した後に圧縮機（14）に吸入される。この第５の発明では、第１の発明の熱源ユニット（10）が、利用ユニット（7）毎に設けられたユニット（60）に収容された切換機構（63,64）によって利用ユニット（7）の運転状態を切り換える冷凍装置（5）に適用されている。
【発明の効果】
【００２１】
本発明では、熱源ユニット（10）が、熱源ユニット（10）に設けられた切換機構（17）によって利用ユニット（7）の運転状態を切り換える冷凍装置（5）と、利用ユニット（7）毎に設けられたユニット（60）に収容された切換機構（63,64）によって利用ユニット（7）の運転状態を切り換える冷凍装置（5）との何れにも適用することができる熱源ユニット（10）の構成に加えて、常に圧縮機（14）の吐出側と連通する第１ガス側ポート（31）を備えている。この熱源ユニット（10）では、第２切換機構（18）が第３ガス側ポート（33）を第１ガスライン（25）と連通させると、第３ガス側ポート（33）が圧縮機（14）から吐出された圧縮後の冷媒が流出するポートになり、液側ポート（34）が熱源側熱交換器（15）で蒸発させる凝縮後の液冷媒が流入するポートになり、第２ガス側ポート（32）が圧縮機（14）が吸入する蒸発後の冷媒が流入するポートになる。一方、第２切換機構（18）が第３ガス側ポート（33）を第２ガスライン（26）と連通させると、液側ポート（34）が熱源側熱交換器（15）で凝縮した液冷媒が流出するポートになり、第２ガス側ポート（32）が圧縮機（14）が吸入する蒸発後の冷媒が流入するポートになり、第１ガス側ポート（31）が圧縮機（14）から吐出された圧縮後の冷媒が流出するポートになる。
【００２２】
そして、例えば図５に示すように、利用側回路（8）のガス側端を第３ガス側ポート（33）に接続して利用側回路（8）の液側端を液側ポート（34）に接続すると共に、補助ユニット（50）の補助熱交換器（52）の液側端を液側ポート（34）に接続して補助熱交換器（52）のガス側端を第１ガス側ポート（31）と第２ガス側ポート（32）とに選択的に接続すると、第２切換機構（18）が第３ガス側ポート（33）を第１ガスライン（25）と連通させる状態では、圧縮機（14）から吐出された高圧の冷媒が第３ガス側ポート（33）を通じて供給される利用側熱交換器（40）が凝縮器となる加熱運転が行われる。そして、その加熱運転中に利用側熱交換器（40）で凝縮した冷媒を補助熱交換器（52）へ導入すると、導入した冷媒が補助熱交換器（52）で蒸発した後に第２ガス側ポート（32）から熱源側回路（12）に流入して圧縮機（14）に吸入される。また、第２切換機構（18）が第３ガス側ポート（33）を第２ガスライン（26）と連通させる状態では、熱源側熱交換器（15）で凝縮した液冷媒が液側ポート（34）を通じて供給される利用側熱交換器（40）が蒸発器となる冷却運転が行われる。そして、その冷却運転中に第１ガス側ポート（31）を通じて圧縮機（14）から吐出された冷媒を補助熱交換器（52）へ導入すると、導入した冷媒が補助熱交換器（52）で凝縮した後に熱源側熱交換器（15）で凝縮した液冷媒と共に利用側熱交換器（40）へ導入される。利用側熱交換器（40）へ導入された冷媒は利用側熱交換器（40）で蒸発し、蒸発後の低圧の冷媒が第３ガス側ポート（33）から熱源側回路（12）に流入して圧縮機（14）に吸入される。
【００２３】
このように、補助ユニット（50）の補助熱交換器（52）のガス側端を第１ガス側ポート（31）と第２ガス側ポート（32）とに選択的に接続することで、加熱運転の際には蒸発器となる補助熱交換器（52）からの低圧のガス冷媒を第２ガス側ポート（32）を通じて圧縮機（14）に導入することができ、冷却運転の際には凝縮器となる補助熱交換器（52）に第１ガス側ポート（31）を通じて高圧のガス冷媒を供給することができる。従って、補助ユニット（50）を冷却運転と加熱運転との両方に対応させて使用することができる。つまり、本発明の熱源ユニット（10）は、冷却運転と加熱運転との両方に対応させて補助ユニット（50）を接続することができる。
【００２４】
また、上記第３の発明では、補助熱交換器（52）のガス側端が第１ガス側ポート（31）と第２ガス側ポート（32）とに選択的に接続されている。従って、上述したように、加熱運転の際には蒸発器となる補助熱交換器（52）からの低圧のガス冷媒を第２ガス側ポート（32）を通じて圧縮機（14）に導入することができ、冷却運転の際には高圧のガス冷媒を第１ガス側ポート（31）を通じて凝縮器となる補助熱交換器（52）へ導入することができる。この第３の発明の補助ユニット（50）は、冷却運転と加熱運転との何れにおいても熱源側熱交換器（15）における熱交換量を補助熱交換器（52）で補う動作ができるように冷凍装置（5）に接続可能である。
【発明を実施するための最良の形態】
【００２５】
以下、本発明の実施形態を図面に基づいて詳細に説明する。
【００２６】
《室外ユニットの構成》
本実施形態に係る室外ユニット（10）は、本発明に係る冷凍装置の熱源ユニットを構成している。この室外ユニット（10）は、ガス側連絡配管（20）及び液側連絡配管（21）を介して利用ユニット（7）に接続される。
【００２７】
図１に示すように、室外ユニット（10）は、熱源側回路である室外回路（12）を収容している。室外回路（12）には、圧縮機（14）、室外熱交換器（15）、室外膨張弁（16）、第１四路切換弁（17）、及び第２四路切換弁（18）が接続されている。第１四路切換弁（17）は第１切換機構を構成し、第２四路切換弁（18）は第２切換機構を構成している。また、室外ユニット（10）には、第１ガス側ポート（31）、第２ガス側ポート（32）、第３ガス側ポート（33）、及び液側ポート（34）が設けられている。
【００２８】
圧縮機（14）は、容量可変の圧縮機として構成されている。圧縮機（14）の吐出側は、第１ガスライン（25）を介して第１ガス側ポート（31）に接続されている。第１ガスライン（25）には、第１四路切換弁（17）の第１ポートが接続されている。圧縮機（14）の吸入側は、第２ガスライン（26）を介して第２ガス側ポート（32）に接続されている。第２ガスライン（26）には、第１四路切換弁（17）の第３ポートが接続されている。
【００２９】
室外熱交換器（15）は、クロスフィン式のフィン・アンド・チューブ型熱交換器であって、熱源側熱交換器を構成している。室外熱交換器（15）は、液側端が液ライン（28）を介して液側ポート（34）に接続されている。室外熱交換器（15）は、ガス側端が第１四路切換弁（17）の第２ポートに接続されている。なお、第１四路切換弁（17）の第４ポートは封止されている。また、室外膨張弁（16）は、電子膨張弁として構成され、液ライン（28）に設けられている。
【００３０】
第２四路切換弁（18）は、第１ポートが第２ガスライン（26）に接続されている。第２四路切換弁（18）の第２ポートは封止されている。第２四路切換弁（18）の第３ポートは、第１ガスライン（25）に接続されている。第２四路切換弁（18）の第４ポートは、第３ガスライン（27）を介して第３ガス側ポート（33）に接続されている。
【００３１】
第１四路切換弁（17）及び第２四路切換弁（18）は、第１ポートと第２ポートが互いに連通して第３ポートと第４ポートが互いに連通する第１状態（図１に実線で示す状態）と、第１ポートと第４ポートが互いに連通して第２ポートと第３ポートが互いに連通する第２状態（図１に破線で示す状態）とにそれぞれ切換可能となっている。なお、各四路切換弁（17,18）の代わりに三路切換弁を用いて第１切換機構（17）や第２切換機構（18）を構成してもよい。また、２つの電磁弁を用いて第１切換機構（17）や第２切換機構（18）を構成してもよい。
【００３２】
〈冷凍装置の構成及び動作〉
以下に、本発明に係る室外ユニット（10）を適用した３つの形態の冷凍装置（5）について、その構成及び運転動作をそれぞれ説明する。
【００３３】
《第１形態の冷凍装置》
第１形態の冷凍装置（5）は、冷却運転である冷房運転、又は加熱運転である暖房運転が実行可能な空気調和装置（5）である。この空気調和装置（5）では、図２に示すように、室外ユニット（10）に対して複数台の室内ユニット（7a,7b,…）が互いに並列に設けられている。なお、室内ユニット（7）の台数は１台であってもよい。
【００３４】
各室内ユニット（7）には、室内回路（8）がそれぞれ収容されている。室内回路（8）には、ガス側端から順に室内熱交換器（40）と室内膨張弁（41）とが設けられている。室内熱交換器（40）は、クロスフィン式のフィン・アンド・チューブ型熱交換器として構成されている。室内膨張弁（41）は電子膨張弁として構成されている。
【００３５】
各室内回路（8）のガス側端は、ガス側連絡配管（20）を介して室外ユニット（10）の第３ガス側ポート（33）に接続されている。各室内回路（8）の液側端は、液側連絡配管（21）を介して室外ユニット（10）の液側ポート（34）に接続されている。この空気調和装置（5）では、室外回路（12）と室内回路（8a,8b,…）とがガス側連絡配管（20）及び液側連絡配管（21）を介して接続されることによって、蒸気圧縮冷凍サイクルを行う冷媒回路（9）が構成されている。
【００３６】
−運転動作−
以下に、第１形態の空気調和装置（5）の運転動作について説明する。なお、この空気調和装置（5）では、冷房運転を行うか暖房運転を行うかが室外ユニット（10）の第１四路切換弁（17）及び第２四路切換弁（18）で調節される。第１四路切換弁（17）及び第２四路切換弁（18）が冷房運転の状態に設定されると、運転中の全ての室内ユニット（7）で冷房運転が行われ、第１四路切換弁（17）及び第２四路切換弁（18）が暖房運転の状態に設定されると運転中の全ての室内ユニット（7）で暖房運転が行われる。
【００３７】
<冷房運転>
冷房運転では、図３に示すように、第１四路切換弁（17）が第１状態に設定され、第２四路切換弁（18）が第２状態に設定される。そして、この状態で圧縮機（14）を運転すると、冷媒回路（9）では室外熱交換器（15）が凝縮器となって室内熱交換器（40）が蒸発器となる蒸気圧縮冷凍サイクルが行われる。
【００３８】
具体的に、圧縮機（14）から吐出された冷媒は、室外熱交換器（15）で室外空気と熱交換して凝縮する。室外熱交換器（15）で凝縮した冷媒は、各室内回路（8a,8b,…）に分配される。室内回路（8）に流入した冷媒は、室内膨張弁（41）で減圧された後に室内熱交換器（40）で室内空気と熱交換して蒸発する。室内熱交換器（40）で蒸発した冷媒は、室外回路（12）に流入し、圧縮機（14）へ吸入されて圧縮される。
【００３９】
<暖房運転>
暖房運転では、図４に示すように、第１四路切換弁（17）が第２状態に設定され、第２四路切換弁（18）が第１状態に設定される。そして、この状態で圧縮機（14）を運転すると、冷媒回路（9）では室内熱交換器（40）が凝縮器となって室外熱交換器（15）が蒸発器となる蒸気圧縮冷凍サイクルが行われる。
【００４０】
具体的に、圧縮機（14）から吐出された冷媒は、各室内回路（8a,8b,…）に分配される。各室内回路（8）では、流入した冷媒が、室内熱交換器（40）で室内空気と熱交換して凝縮する。室内熱交換器（40）で凝縮した冷媒は、室外回路（12）に流入する。室外回路（12）に流入した冷媒は、室外膨張弁（16）で減圧された後に室外熱交換器（15）で室外空気と熱交換して蒸発する。室外熱交換器（15）で蒸発した冷媒は、圧縮機（14）へ吸入されて圧縮される。
【００４１】
《第２形態の冷凍装置》
第２形態の空気調和装置（5）は、図５に示すように、上記第１形態の空気調和装置（5）の構成に加えて、更に補助ユニット（50）が設けられている。補助ユニット（50）は、室外ユニット（10）と共に室外に設置されている。なお、補助ユニット（50）の台数は複数台であってもよい。
【００４２】
補助ユニット（50）には、補助ユニット回路（51）が収容されている。補助ユニット回路（51）には、補助熱交換器（52）、膨張弁（53）、及び四路切換弁（54）が設けられている。また、補助ユニット（50）には、第１接続ポート（56）、第２接続ポート（57）、及び第３接続ポート（58）が設けられている。
【００４３】
補助熱交換器（52）は、クロスフィン式のフィン・アンド・チューブ型熱交換器として構成されている。補助熱交換器（52）は、液側端が第１接続ポート（56）に接続されている。補助熱交換器（52）のガス側端は、四路切換弁（54）の第２ポートに接続されている。また、四路切換弁（54）の第１ポートは、第３接続ポート（58）に接続されている。四路切換弁（54）の第３ポートは、第２接続ポート（57）に接続されている。四路切換弁（54）の第４ポートは封止されている。膨張弁（53）は、電子膨張弁として構成され、補助熱交換器（52）と第１接続ポート（56）との間に設けられている。
【００４４】
四路切換弁（54）は、第１ポートと第２ポートが互いに連通して第３ポートと第４ポートが互いに連通する第１状態（図５に実線で示す状態）と、第１ポートと第４ポートが互いに連通して第２ポートと第３ポートが互いに連通する第２状態（図５に破線で示す状態）とに切換可能となっている。四路切換弁（54）が第１状態に設定されると、補助熱交換器（52）のガス側端が第３接続ポート（58）と連通する状態になる。四路切換弁（54）が第２状態に設定されると、補助熱交換器（52）のガス側端が第２接続ポート（57）と連通する状態になる。このように、四路切換弁（54）は、補助切換機構を構成している。なお、四路切換弁（54）の代わりに三路切換弁を用いて補助切換機構を構成してもよいし、２つの電磁弁を用いて補助切換機構を構成してもよい。
【００４５】
補助ユニット（50）の第１接続ポート（56）は、液側連絡配管（21）に接続されている。第２接続ポート（57）は、室外ユニット（10）の第１ガス側ポート（31）に接続されている。第３接続ポート（58）は、室外ユニット（10）の第２ガス側ポート（32）に接続されている。
【００４６】
−運転動作−
以下に、第２形態の空気調和装置（5）の運転動作について説明する。この空気調和装置（5）では、上記第１形態の空気調和装置（5）と同様に、第１四路切換弁（17）及び第２四路切換弁（18）が冷房運転の状態に設定されると、運転中の全ての室内ユニット（7）で冷房運転が行われ、第１四路切換弁（17）及び第２四路切換弁（18）が暖房運転の状態に設定されると運転中の全ての室内ユニット（7）で暖房運転が行われる。
【００４７】
<冷房運転>
冷房運転では、図６に示すように、第１四路切換弁（17）が第１状態に設定され、第２四路切換弁（18）が第２状態に設定される。そして、この状態で圧縮機（14）を運転すると、冷媒回路（9）では室外熱交換器（15）が凝縮器となって室内熱交換器（40）が蒸発器となる蒸気圧縮冷凍サイクルが行われる。
【００４８】
なお、補助ユニット（50）の四路切換弁（54）は、冷房運転を行う室内ユニット（7）の台数が多い場合など比較的大きな冷房能力が必要となる場合には第２状態に設定される。この状態では、補助ユニット（50）の補助熱交換器（52）が室外熱交換器（15）と共に凝縮器となる。補助ユニット（50）の四路切換弁（54）は、必要となる冷房能力が比較的小さい場合には第１状態に設定される。この場合は、さらに膨張弁（53）が閉状態に設定される。この状態では、補助ユニット（50）の補助熱交換器（52）に冷媒が流通しない。この空気調和装置（5）は、補助ユニット（50）の補助熱交換器（52）を使用したり使用しなかったり調節することで、必要となる冷房能力に対して常に適切な冷凍サイクルを行うことが可能である。これにより、この空気調和装置（5）は、常に成績係数（ＣＯＰ）が高い状態で運転を行うことができる。
【００４９】
以下では、補助ユニット（50）の補助熱交換器（52）を凝縮器として使用する場合の冷媒の流れについて説明する。なお、室外ユニット（10）及び室内ユニット（7）における冷媒の流れは、上記第１形態の空気調和装置（5）の冷房運転と同じであるため省略する。
【００５０】
この冷房運転では、圧縮機（14）から吐出された冷媒の一部が、補助ユニット回路（51）に流入する。補助ユニット回路（51）では、流入した冷媒が、補助熱交換器（52）で室外空気と熱交換して凝縮する。補助熱交換器（52）で凝縮した冷媒は、室外熱交換器（15）で凝縮した冷媒と合流して各室内回路（8）へ分配される。
【００５１】
<暖房運転>
暖房運転では、図７に示すように、第１四路切換弁（17）が第２状態に設定され、第２四路切換弁（18）が第１状態に設定される。そして、この状態で圧縮機（14）を運転すると、冷媒回路（9）では室内熱交換器（40）が凝縮器となって室外熱交換器（15）が蒸発器となる蒸気圧縮冷凍サイクルが行われる。
【００５２】
なお、補助ユニット（50）の四路切換弁（54）は、暖房運転を行う室内ユニット（7）の台数が多い場合など比較的大きな暖房能力が必要となる場合には第１状態に設定される。この状態では、補助ユニット（50）の補助熱交換器（52）が室外熱交換器（15）と共に蒸発器となる。補助ユニット（50）の四路切換弁（54）は、必要となる冷房能力が比較的小さい場合には第２状態に設定される。この場合は、さらに膨張弁（53）が閉状態に設定される。この状態では、補助ユニット（50）の補助熱交換器（52）に冷媒が流通しない。この空気調和装置（5）は、補助ユニット（50）の補助熱交換器（52）を使用したり使用しなかったり調節することで、必要となる暖房能力に対して常に適切な冷凍サイクルを行うことが可能である。これにより、この空気調和装置（5）は、常に成績係数（ＣＯＰ）が高い状態で運転を行うことができる。
【００５３】
以下では、補助ユニット（50）の補助熱交換器（52）を蒸発器として使用する場合の冷媒の流れについて説明する。なお、室外ユニット（10）及び室内ユニット（7）における冷媒の流れは、上記第１形態の空気調和装置（5）の暖房運転と同じであるため省略する。
【００５４】
この暖房運転では、室内熱交換器（40）で凝縮した冷媒の一部が、補助ユニット回路（51）に流入する。補助ユニット回路（51）では、流入した冷媒が、膨張弁（53）で減圧された後に補助熱交換器（52）で室外空気と熱交換して蒸発する。補助熱交換器（52）で蒸発した冷媒は、室外回路（12）に流入し、室外熱交換器（15）で蒸発した冷媒と合流して圧縮機（14）へ吸入される。
【００５５】
《第３形態の冷凍装置》
第３形態の空気調和装置（5）は、各室内ユニット（7a,7b,…）毎に暖房運転を行うか暖房運転を行うかを選択できる、いわゆる冷暖フリーの空気調和装置（5）である。この空気調和装置（5）では、図８に示すように、室外ユニット（10）に対して複数の室内ユニット（7a,7b,…）が互いに並列に接続され、各室内ユニット（7a,7b,…）毎にＢＳユニット（60a,60b,…）が設けられている。各ＢＳユニット（60a,60b,…）は、切換ユニットを構成している。なお、図８では、第１室内ユニット（7a）と第２室内ユニット（7b）以外の室内ユニットの記載は省略する。
【００５６】
各ＢＳユニット（60）には、液側回路（61）とガス側回路（62）とがそれぞれ収容されている。液側回路（61）の一端には、室外ユニット（10）の液側ポート（34）から延びる液側連絡配管（21）が接続されている。液側回路（61）の他端には、室内回路（8）の液側端に接続された冷媒配管が接続されている。
【００５７】
ガス側回路（62）は、第１電磁弁（63）が設けられた第１配管と、第２電磁弁（64）が設けられた第２配管とを備えている。第１配管と第２配管とは、一端同士が互いに接続されている。第１配管の一端と第２配管の一端との接続部から延びる冷媒配管は、室内回路（8）のガス側端に接続されている。第１配管の他端には、室外ユニット（10）の第３ガス側ポート（33）から延びる第１ガス側連絡配管（20a）が接続されている。第２配管の他端には、室外ユニット（10）の第２ガス側ポート（32）から延びる第２ガス側連絡配管（20b）が接続されている。第１電磁弁（63）及び第２電磁弁（64）は、運転状態切換機構を構成している。
【００５８】
この空気調和装置（5）には、上記第２形態の空気調和装置（5）と同じ補助ユニット（50）が設けられている。補助ユニット（50）の第１接続ポート（56）は、液側連絡配管（21）に接続されている。第２接続ポート（57）は、室外ユニット（10）の第１ガス側ポート（31）に接続されている。第３接続ポート（58）は、第２ガス側連絡配管（20b）に接続されている。
【００５９】
−運転動作−
以下に、第３形態の空気調和装置（5）の運転動作について説明する。この空気調和装置（5）では、冷房運転、暖房運転に加えて、冷房運転を行う室内ユニット（7）と暖房運転を行う室内ユニット（7）とが同時に存在する冷暖房運転が行われる。
【００６０】
<冷房運転>
冷房運転では、図９に示すように、室外ユニット（10）の第２四路切換弁（18）が第２状態に設定される。補助ユニット（50）では、四路切換弁（54）が第２状態に設定される。また、各ＢＳユニット（60）では、第１電磁弁（63）が閉状態に設定され、第２電磁弁（64）が開状態に設定される。そして、この状態で圧縮機（14）を運転すると、冷媒回路（9）では補助ユニット（50）の補助熱交換器（52）が凝縮器となって室内熱交換器（40）が蒸発器となる蒸気圧縮冷凍サイクルが行われる。
【００６１】
なお、室外ユニット（10）の第１四路切換弁（17）は、冷房運転を行う室内ユニット（7）の台数が多い場合など必要となる冷房能力が大きい場合には第１状態に設定される。この状態では、室外熱交換器（15）が補助ユニット（50）の補助熱交換器（52）と共に凝縮器となる。第１四路切換弁（17）は、必要となる冷房能力が小さい場合には第２状態に設定される。この場合は、更に室外膨張弁（16）は閉状態に設定される。この状態では、室外熱交換器（15）に冷媒が流通しない。この空気調和装置（5）は、室外熱交換器（15）を使用したり使用しなかったり調節することで、必要となる冷房能力に対して常に適切な冷凍サイクルを行うことが可能である。これにより、この空気調和装置（5）は、常に成績係数（ＣＯＰ）が高い状態で運転を行うことができる。
【００６２】
以下では、室外熱交換器（15）を凝縮器として使用する場合の冷媒の流れについて説明する。
【００６３】
この冷房運転では、圧縮機（14）から吐出された冷媒の一部が、補助ユニット（50）の第２接続ポート（57）から補助ユニット回路（51）へ流入する。補助ユニット回路（51）に流入した冷媒は、補助熱交換器（52）で室外空気と熱交換して凝縮する。また、圧縮機（14）から吐出された冷媒の残りの一部は、室外熱交換器（15）で室外空気と熱交換して凝縮する。室外熱交換器（15）で凝縮した冷媒は、補助ユニット（50）の補助熱交換器（52）で凝縮した冷媒と合流する。
【００６４】
合流した凝縮後の冷媒は、各室内回路（8）に対して分配される。分配された冷媒は、ＢＳユニット（60）の液側回路（61）を通って、室内回路（8）へ流入する。室内回路（8）に流入した冷媒は、室内膨張弁（41）で減圧された後に室内熱交換器（40）で室内空気と熱交換して蒸発する。室内熱交換器（40）で蒸発した冷媒は、ＢＳユニット（60）のガス側回路（62）の第２配管等を通じて室外回路（12）に流入して、圧縮機（14）に吸入される。
【００６５】
<暖房運転>
暖房運転では、図１０に示すように、室外ユニット（10）の第２四路切換弁（18）が第１状態に設定される。補助ユニット（50）では、四路切換弁（54）が第１状態に設定される。また、各ＢＳユニット（60）では、第１電磁弁（63）が開状態に設定され、第２電磁弁（64）が閉状態に設定される。そして、この状態で圧縮機（14）を運転すると、冷媒回路（9）では室内熱交換器（40）が凝縮器となって補助ユニット（50）の補助熱交換器（52）が蒸発器となる蒸気圧縮冷凍サイクルが行われる。
【００６６】
なお、室外ユニット（10）の第１四路切換弁（17）は、暖房運転を行う室内ユニット（7）の台数が多い場合など必要となる暖房能力が大きい場合には第２状態に設定される。この状態では、室外熱交換器（15）が補助ユニット（50）の補助熱交換器（52）と共に蒸発器となる。第１四路切換弁（17）は、必要となる暖房能力が小さい場合には第１状態に設定される。この場合、室外膨張弁（16）は閉状態に設定される。この状態では、室外熱交換器（15）に冷媒が流通しない。この空気調和装置（5）は、室外熱交換器（15）を使用したり使用しなかったりすることで、必要となる暖房能力に対して常に適切な冷凍サイクルを行うことが可能である。これにより、この空気調和装置（5）は、常に成績係数（ＣＯＰ）が高い状態で運転を行うことができる。
【００６７】
以下では、室外熱交換器（15）を蒸発器として使用する場合の冷媒の流れについて説明する。
【００６８】
この暖房運転では、圧縮機（14）から吐出された冷媒が、各室内回路（8）に対して分配される。分配された冷媒は、ＢＳユニット（60）のガス側回路（62）の第１配管を通って、室内回路（8）へ流入する。室内回路（8）に流入した冷媒は、室内熱交換器（40）で室内空気と熱交換して凝縮する。
【００６９】
室内熱交換器（40）で凝縮した冷媒の一部は、補助ユニット回路（51）へ流入する。補助ユニット回路（51）に流入した冷媒は、膨張弁（53）で減圧された後に補助熱交換器（52）で室外空気と熱交換して蒸発する。また、室内熱交換器（40）で凝縮した冷媒の残りの一部は、室外回路（12）に流入する。室外回路（12）に流入した冷媒は、室外膨張弁（16）で減圧された後に室外熱交換器（15）で室外空気と熱交換して蒸発する。室外熱交換器（15）で蒸発した冷媒は、補助ユニット（50）の補助熱交換器（52）で蒸発した冷媒と合流して、圧縮機（14）に吸入される。
【００７０】
<冷暖房運転>
冷暖房運転について説明する。なお、ここでは、第１室内ユニット（7a）のみ冷房運転を行い他の室内ユニット（7b,…）で暖房運転を行う場合について説明する。この冷暖房運転では、図１１に示すように、室外ユニット（10）の第２四路切換弁（18）が第１状態に設定される。また、第１室内ユニット（7a）のＢＳユニット（60a）では、第１電磁弁（63b）が閉状態に設定され、第２電磁弁（64b）が開状態に設定される。第１室内ユニット（7a）以外のＢＳユニット（60b,…）では、第１電磁弁（63b,…）が開状態に設定され、第２電磁弁（64b,…）が閉状態に設定される。そして、この状態で圧縮機（14）を運転すると、冷媒回路（9）では第１室内ユニット（7a）以外の室内ユニット（7b,…）の室内熱交換器（40b,…）が凝縮器となって、第１室内ユニット（7a）の室内熱交換器（40a）が蒸発器となる蒸気圧縮冷凍サイクルが行われる。
【００７１】
なお、室外熱交換器（15）は、第１四路切換弁（17）や室外膨張弁（16）により、凝縮器になる状態、蒸発器になる状態、及び冷媒が流通しない状態の何れかに調節される。具体的に、室外膨張弁（16）が開状態に設定され第１四路切換弁（17）が第１状態に設定されると、室外熱交換器（15）は凝縮器となる。室外膨張弁（16）が開状態に設定され第１四路切換弁（17）が第２状態に設定されると室外熱交換器（15）は蒸発器となる。室外膨張弁（16）が閉状態に設定されると室外熱交換器（15）は冷媒が流通しない状態になる。
【００７２】
また、補助ユニット（50）の補助熱交換器（52）は、膨張弁（53）や四路切換弁（54）により、凝縮器になる状態、蒸発器になる状態、及び冷媒が流通しない状態の何れかに調節される。具体的に、膨張弁（53）が開状態に設定され四路切換弁（54）が第２状態に設定されると、補助熱交換器（52）は凝縮器となる。膨張弁（53）が開状態に設定され四路切換弁（54）が第１状態に設定されると補助熱交換器（52）は蒸発器となる。膨張弁（53）が閉状態に設定されると補助熱交換器（52）は冷媒が流通しない状態になる。
【００７３】
この空気調和装置（5）では、必要となる冷房能力及び暖房能力に応じて、第１四路切換弁（17）、室外膨張弁（16）、補助ユニット（50）の四路切換弁（54）、及び膨張弁（53）を適宜調節することで、室外熱交換器（15）及び補助ユニット（50）の補助熱交換器（52）の使用状態が調節される。これにより、この空気調和装置（5）は、常に適切な冷凍サイクルを行って成績係数（ＣＯＰ）が高い状態を維持することができる。
【００７４】
以下では、室外熱交換器（15）及び補助ユニット（50）の補助熱交換器（52）が凝縮器となる場合の冷媒の流れについて説明する。
【００７５】
この冷暖房運転では、圧縮機（14）から吐出された冷媒は、第１室内ユニット（7a）の室内回路（8a）以外の室内回路（8b,…）に分配される。各室内回路（8b,…）では、流入した冷媒が室内熱交換器（40b,…）で室内空気と熱交換して凝縮する。室内熱交換器（40b,…）で凝縮した冷媒は、室外回路（12）と補助ユニット回路（51）と第１室内ユニット（7a）の室内回路（8a）とに分配される。
【００７６】
室外回路（12）に流入した冷媒は、室外膨張弁（16）で減圧された後に室外熱交換器（15）で室外空気と熱交換して蒸発する。補助ユニット回路（51）に流入した冷媒は、膨張弁（53）で減圧された後に補助熱交換器（52）で室外空気と熱交換して蒸発する。第１室内ユニット（7a）の室内回路（8a）に流入した冷媒は、室内膨張弁（41a）で減圧された後に室内熱交換器（40a）で室内空気と熱交換して蒸発する。そして、室外熱交換器（15）で蒸発した冷媒と、補助ユニット（50）の補助熱交換器（52）で蒸発した冷媒と、第１室内ユニット（7a）の室内熱交換器（40a）で蒸発した冷媒とは、合流してから圧縮機（14）に吸入される。
【００７７】
−実施形態の効果−
この実施形態では、室外ユニット（10）が、熱源ユニット（10）に設けられた切換機構（17）によって利用ユニット（7）の運転状態を切り換える冷凍装置（5）と、利用ユニット（7）毎に設けられたユニット（60）に収容された切換機構（63,64）によって利用ユニット（7）の運転状態を切り換える冷凍装置（5）との何れにも適用することができる熱源ユニット（10）の構成に加えて、常に圧縮機（14）の吐出側に連通する第１ガス側ポート（31）を備えている。
【００７８】
そして、第２形態の冷凍装置（5）、又は第３形態の冷凍装置（5）のように、室内回路（8）のガス側端を第３ガス側ポート（33）に接続して室内回路（8）の液側端を液側ポート（34）に接続すると共に、補助ユニット（50）の補助熱交換器（52）の液側端を液側ポート（34）に接続して補助熱交換器（52）のガス側端を第１ガス側ポート（31）と第２ガス側ポート（32）とに選択的に接続すると、第２切換機構（18）が第３ガス側ポート（33）を第１ガスライン（25）と連通させる状態では、圧縮機（14）から吐出された高圧の冷媒が第３ガス側ポート（33）を通じて供給される室内熱交換器（40）が凝縮器となる暖房運転が行われる。そして、その暖房運転中に室内熱交換器（40）で凝縮した冷媒を補助熱交換器（52）へ導入すると、導入された冷媒が補助熱交換器（52）で蒸発した後に第２ガス側ポート（32）から室外回路（12）に流入して圧縮機（14）に吸入される。また、第２切換機構（18）が第３ガス側ポート（33）を第２ガスライン（26）と連通させる状態では、室外熱交換器（15）で凝縮した液冷媒が液側ポート（34）を通じて供給される室内熱交換器（40）が蒸発器となる冷房運転が行われる。そして、その冷房運転中に第１ガス側ポート（31）を通じて圧縮機（14）から吐出された冷媒を補助熱交換器（52）へ導入すると、導入された冷媒が補助熱交換器（52）で凝縮した後に室外熱交換器（15）で凝縮した液冷媒と共に室内熱交換器（40）へ導入される。室内熱交換器（40）へ導入された冷媒は室内熱交換器（40）で蒸発し、蒸発後の低圧の冷媒が第３ガス側ポート（33）から室外回路（12）に流入して圧縮機（14）に吸入される。
【００７９】
このように、補助ユニット（50）の補助熱交換器（52）のガス側端を第１ガス側ポート（31）と第２ガス側ポート（32）とに選択的に接続することで、暖房運転の際には蒸発器となる補助熱交換器（52）からの低圧のガス冷媒を第２ガス側ポート（32）を通じて圧縮機（14）に導入することができ、冷房運転の際には凝縮器となる補助熱交換器（52）に第１ガス側ポート（31）を通じて高圧のガス冷媒を供給することができる。従って、補助ユニット（50）を冷房運転と暖房運転との両方に対応させて使用することができる。すなわち、本実施形態の室外ユニット（10）は、冷房運転と暖房運転との両方に対応させて補助ユニット（50）を接続することができる。また、本実施形態の補助ユニット（50）は、冷却運転と加熱運転との何れにおいても室外熱交換器（15）における熱交換量を補助熱交換器（52）で補う動作ができるように構成されている。
【００８０】
《その他の実施形態》
上記実施形態について、図１２に示すように、互いに並列に接続された複数の室外ユニット（10,10,…）によって空気調和装置（5）を構成してもよい。
【００８１】
なお、以上の実施形態は、本質的に好ましい例示であって、本発明、その適用物、あるいはその用途の範囲を制限することを意図するものではない。
【産業上の利用可能性】
【００８２】
以上説明したように、本発明は、利用ユニットに連絡配管を介して接続される冷凍装置の熱源ユニット、及びその熱源ユニットを備える冷凍装置について有用である。
【図面の簡単な説明】
【００８３】
【図１】実施形態に係る室外ユニットの概略構成図である。
【図２】実施形態に係る室外ユニットを適用した第１形態の空気調和装置の概略構成図である。
【図３】実施形態に係る室外ユニットを適用した第１形態の空気調和装置における冷房運転時の動作を示す概略構成図である。
【図４】実施形態に係る室外ユニットを適用した第１形態の空気調和装置における暖房運転時の動作を示す概略構成図である。
【図５】実施形態に係る室外ユニットを適用した第２形態の空気調和装置の概略構成図である。
【図６】実施形態に係る室外ユニットを適用した第２形態の空気調和装置における冷房運転時の動作を示す概略構成図である。
【図７】実施形態に係る室外ユニットを適用した第２形態の空気調和装置における暖房運転時の動作を示す概略構成図である。
【図８】実施形態に係る室外ユニットを適用した第３形態の空気調和装置の概略構成図である。
【図９】実施形態に係る室外ユニットを適用した第３形態の空気調和装置における冷房運転時の動作を示す概略構成図である。
【図１０】実施形態に係る室外ユニットを適用した第３形態の空気調和装置における暖房運転時の動作を示す概略構成図である。
【図１１】実施形態に係る室外ユニットを適用した第３形態の空気調和装置における冷暖房運転時の動作を示す概略構成図である。
【図１２】その他の実施形態に係る空気調和装置の概略構成図である。
【図１３】従来の熱源ユニットを備える冷凍装置の概略構成図であり、（Ａ）は背景技術の記載の前者の冷凍装置を構成した場合の概略構成図であり、（Ｂ）は背景技術の記載の後者の冷凍装置を構成した場合の概略構成図である。
【図１４】従来の熱源ユニットを適用した冷凍装置に、加熱運転に対応させて補助ユニットを接続した場合の概略構成図である。
【図１５】従来の熱源ユニットを適用した冷凍装置に、冷却運転に対応させて補助ユニットを接続した場合の概略構成図である。
【符号の説明】
【００８４】
5   空気調和装置（冷凍装置）
7   室内ユニット（利用ユニット）
8   室内回路（利用側回路）
9   冷媒回路
10  室外ユニット（熱源ユニット）
12  室外回路（熱源側回路）
14  圧縮機
15  室外熱交換器（熱源側熱交換器）
17  第１四路切換弁（第１切換機構）
18  第２四路切換弁（第２切換機構）
25  第１ガスライン
26  第２ガスライン
27  第３ガスライン
28  液ライン
31  第１ガス側ポート
32  第２ガス側ポート
33  第２ガス側ポート
34  液側ポート
40  室内熱交換器（利用側熱交換器）
41  減圧機構（室内膨張弁）
50  補助ユニット
52  補助熱交換器
54  補助切換機構
56  第１接続ポート
57  第２接続ポート
58  第３接続ポート
63  第１電磁弁（運転状態切換機構）
64  第２電磁弁（運転状態切換機構）
【図１】
2008111589.tif 000003
【図２】
2008111589.tif 000004
【図３】
2008111589.tif 000005
【図４】
2008111589.tif 000006
【図５】
2008111589.tif 000007
【図６】
2008111589.tif 000008
【図７】
2008111589.tif 000009
【図８】
2008111589.tif 000010
【図９】
2008111589.tif 000011
【図１０】
2008111589.tif 000012
【図１１】
2008111589.tif 000013
【図１２】
2008111589.tif 000014
【図１３】
2008111589.tif 000015
【図１４】
2008111589.tif 000016
【図１５】
2008111589.tif 000017